(57)【要約】【課題】電装品箱に凝縮水が飛散、あるいは結露水が侵入しないよう防止する一方、ドレンポンプの交換あるいは修理作業が容易に行える空気調和機を提供する。【解決手段】凝縮水を外部へ排出するドレンポンプ９を熱交換器５のの左側方に設け、制御基板を内蔵した前記電装品箱７を前記熱交換器５の右側方上部に設けることにより、前記ドレンポンプ９により排出される凝縮水が前記電装品箱７の表面に飛散したり、あるいは同電装品箱７の内部に侵入して制御基板等に支障が発生するというような不具合を防止し、また、本体の一側に前記ドレンポンプ９を設けることにより、同ドレンポンプ９のメンテナンスあるいは修理点検等の際は、その作業を容易に行えるようにする。【選択図】　図２
2004116882.tif 000002
【特許請求の範囲】
【請求項１】
本体の少なくとも上面に吸込口を設け、下面に吹出口を設け、前記吸込口と前記吹出口とを結ぶ空気通路に熱交換器と送風ファンとを夫々設け、前記熱交換器の下方に同熱交換器から滴下する凝縮水を受けるドレンパンを配設するとともに、本体内に前記ドレンパンに貯留された凝縮水を外部に排出するドレンポンプと、制御基板を内蔵した電装品箱を設けてなる空気調和機において、
前記電装品箱を前記熱交換器の一側方に配設する一方、前記ドレンポンプを前記熱交換器の他側方であって、前記ドレンパンを延設したサブドレンパンの上方に配設してなることを特徴とする空気調和機。
【請求項２】
前記本体が、壁面に据付けられるベースと、同ベースの前面に装着される上下に分割された上部パネル及び下部パネルとからなり、同下部パネルの背面側に支持金具を立設するとともに、同支持金具に支持されたブラケットにより前記ドレンポンプを懸吊してなることを特徴とする請求項１に記載の空気調和機。
【請求項３】
前記ブラケットが前記支持金具に固定され、防振部材を下部に装着した断面Ｌ字状の第一ブラケットと、断面コ字状に形成され上面に穿設された孔を前記防振部材に嵌着する一方、下面に穿設された孔に前記ドレンポンプの上部を嵌着した第二ブラケットとからなることを特徴とする請求項１に記載の空気調和機。
【請求項４】
前記ドレンパンと前記サブドレンパンとが前記下部パネルに立設され、連通孔を穿設した仕切壁により隔てられてなることを特徴とする請求項１または請求項２に記載の空気調和機。
【請求項５】
前記サブドレンパンの底面が、前記ドレンパンの底面より低くなるように形成されてなることを特徴とする請求項１または請求項４に記載の空気調和機。
【発明の詳細な説明】
【０００１】
【発明の属する技術分野】
本発明は、空気調和機に関わり、より詳細には、ドレンポンプを電装品箱と対称的な部位に配置して電装品箱の安全性を高めるとともに、凝縮水の排出管引き廻しを簡素化し、メンテナンス性を向上させた構成に関する。
【０００２】
【従来の技術】
凝縮水を排出するドレンポンプを本体内に備えた従来の空気調和機は、例えば公開特許公報２００２−１３０７２２号に開示されているように本体内を構成している。同特許公報による図５で示す構成は、本体３０内の一側に、クロスフローファン３１を駆動するモータ３２を設けるとともに、同モータ３２の上方にＩＣ等の電子部品を搭載した制御基板を複数枚内蔵した電装品箱３３を設けている。前記クロスフローファン３１の前面及び上面には、図示はされていないが熱交換器が配設されており、その下方には同熱交換器から滴下する凝縮水を貯留するドレンパン３４が設けられている。
【０００３】
前記ドレンパン３４の前記モータ３２側は側方と後方とに延出され、前記モータ３２と前記クロスフローファン３１の間となる延出部の上方にはブラケットに支持されたドレンポンプ３５が設けられている。同ドレンポンプ３５の排出口はドレンホース３６を介して外部配管に接続されており、前記ドレンパン３４に貯留された凝縮水は前記ドレンポンプ３５に吸引されるとともに、前記ドレンホース３６及び外部配管を介して排出されるようになっている。
【０００４】
上記したように、ドレンポンプ３５をモータ３２とクロスフローファン３１との間に配置することによりスペースの有効利用をはかり、本体を極力小型化している。しかしながら、前記ドレンポンプ３５を本体の一側上部に配設された前記電装品箱３３と接近して設けることは、水滴あるいは結露水が前記電装品箱３３内に侵入し、内蔵された制御基板等に支障を発生させる恐れがあり、またメンテナンス作業あるいは修理点検等の際、前記ドレンポンプ３５に接続された配管と前記モータ３２及び前記クロスフローファン３１とが交差するように設けられているため、作業に困難を来すというような問題点を抱えていた。
【０００５】
【発明が解決しようとする課題】
本発明は上記問題点に鑑み、ドレンポンプと電装品箱を対称的な部位に配置して、電装品箱に水滴あるいは結露水が侵入しないよう防止する一方、メンテナンス作業あるいは修理点検等の際、作業を容易に行えるようにした空気調和機を提供することを目的とする。
【０００６】
【課題を解決するための手段】
本発明は上記課題を解決するため、本体の少なくとも上面に吸込口を設け、下面に吹出口を設け、前記吸込口と前記吹出口とを結ぶ空気通路に熱交換器と送風ファンとを夫々設け、前記熱交換器の下方に同熱交換器から滴下する凝縮水を受けるドレンパンを配設するとともに、本体内に前記ドレンパンに貯留された凝縮水を外部に排出するドレンポンプと、制御基板を内蔵した電装品箱を設けてなる空気調和機において、
前記電装品箱を前記熱交換器の一側方に配設する一方、前記ドレンポンプを前記熱交換器の他側方であって、前記ドレンパンを延設したサブドレンパンの上方に配設してなる構成となっている。
【０００７】
また、前記本体が、壁面に据付けられるベースと、同ベースの前面に装着される上下に分割された上部パネル及び下部パネルとからなり、同下部パネルの背面側に支持金具を立設するとともに、同支持金具に支持されたブラケットにより前記ドレンポンプを懸吊してなる構成となっている。
【０００８】
また、前記ブラケットが前記支持金具に固定され、防振部材を下部に装着した断面Ｌ字状の第一ブラケットと、断面コ字状に形成され上面に穿設された孔を前記防振部材に嵌着する一方、下面に穿設された孔に前記ドレンポンプの上部を嵌着した第二ブラケットとからなる構成となっている。
【０００９】
また、前記ドレンパンと前記サブドレンパンとが前記下部パネルに立設され、連通孔を穿設した仕切壁により隔てられてなる構成となっている。
【００１０】
更に、前記サブドレンパンの底面が、前記ドレンパンの底面より低くなるように形成された構成となっている。
【００１１】
【発明の実施の形態】
以下、本発明の実施の形態を、添付図面に基づいた実施例として詳細に説明する。
図１は本発明による空気調和機を示す断面図であり、図２は本体内を示す斜視図である。図３はその要部斜視図であり、図４は後述する下部パネルを示す要部斜視図である。
まず、本願の空気調和機の概要について説明する。図１で示すように本発明による空気調和機は、壁面に据付けられるベースの前面に上下に分割された下部パネル１と上部パネル２とを装着して本体を構成している。同本体の上面前端から上面後部にかけては吸込口３が形成され、下面の中央部には複数の風向偏向板４ａを備えた吹出口４が形成されており、前記吸込口３と前記吹出口４とを結ぶ空気通路には、垂直部５ａと同垂直部５ａの上端を折曲して後方に傾斜させた後方傾斜部５ｂと、同後方傾斜部５ｂの上端を折曲して前方に傾斜させた前方傾斜部５ｃとからなる熱交換器５が設けられ、その下流側には同熱交換器５で熱交換された空気を室内に送出する送風ファン６が設けられている。
【００１２】
図２は、本体から前記上部パネル２を抜脱した状態を示す斜視図である。中央部には、上述した垂直部５ａと後方傾斜部５ｂと前方傾斜部５ｃとからなり、並設された多数のフィンと、同フィンに直交するように蛇行状に配設され端部をＵ字管により接続された伝熱管とで構成される前記熱交換器５がベースから突設された支持部材により支持されている。
【００１３】
前記熱交換器５の右側方上部には、ＩＣ等の電子部品を搭載した制御基板を複数枚内蔵した電装品箱７が設けられており、その下方にはＬＥＤ等の表示素子を備え、前記電装品箱７と配線にて接続された表示部８が設けられている。前記熱交換器５の左側方には、ドレンポンプ９と、同ドレンポンプ９を懸吊した、第一ブラケット１０ａ及び第二ブラケット１０ｂからなるブラケット１０が設けられている。
【００１４】
図３の要部斜視図で示すように、前記下部パネル１の底面には前記熱交換器５から滴下する凝縮水を受け、これを貯留するドレンパン１ａが形成されており、前記ドレンポンプ９の下方には、連通孔を穿設した仕切壁１ｃにより前記ドレンパン１ａと隔てられてサブドレンパン１ｂが延設されている。前記下部パネル１の右側背面側には、Ｌ字状に形成され配管挿通孔１２ａを穿設した板金よりなる支持金具１２が立設され、同支持金具１２に、断面Ｌ字状に形成され、上部前面に円筒状のノズル１１を突設する一方、下部にゴム材よりなる円環状の防振部材１０ｃを装着した前記第一ブラケット１０ａが支持されている。前記第二ブラケット１０ｂは断面コ字状に形成され、上面に穿設された孔を前記第一ブラケット１０ａに装着された前記防振部材１０ｃの下部に嵌着し、下面に穿設された孔に、前記ドレンポンプ９の上部に突設された円筒部を嵌着している。これにより前記ドレンポンプ９は前記第一ブラケット１０ａに自由支持された状態となっており、これにより前記ドレンポンプ９から発生した振動が前記支持金具１２あるいは前記下部パネル１へ伝搬されることを極力防止するようになっている。また前記ドレンポンプ９の前面には排出口９ａが設けられており、同排出口９ａと前記ノズル１１とは排出ホース１３により接続されている。
【００１５】
前記サブドレンパン１ｂは、図４で示すように、連通孔１ｄを下端部に穿設した仕切壁１ｃに仕切られて前記ドレンパン１ａと連通するとともに、同サブドレンパン１ｂの底面は前記ドレンパン１ａの底面より低くなるように形成されている。これにより、前記熱交換器５から前記ドレンパン１ａに滴下した凝縮水は、前記連通孔１ｄを介して前記サブドレンパン１ｂに円滑に流れ込み貯留されるようになっている。
【００１６】
前記サブドレンパン１ｂに貯留された凝縮水は、前記ドレンポンプ９の下面に設けられた吸込口により同ドレンポンプ９内に吸上げられるとともに、前記排出口９ａから排出され同排出口９ａに接続された前記排出ホース１３と前記ノズル１１とを介して、同ノズル１１に接続された外部配管により外部に排出されるようになっている。
【００１７】
上述したように、凝縮水を外部へ排出する前記ドレンポンプ９を前記熱交換器５の左側方に設け、制御基板を内蔵した前記電装品箱７を前記熱交換器５の右側方に設けることにより、前記ドレンポンプ９により排出される凝縮水が前記電装品箱７の表面に飛散したり、あるいは同電装品箱７の内部に侵入して制御基板等に支障が発生するというような不具合を防止できる一方、前記ドレンポンプ９のメンテナンスあるいは修理点検等の際は、その交換作業あるいは修理作業をを容易に行うことができるようになっている。
【００１８】
【発明の効果】
以上説明したように、本発明によると、凝縮水を外部へ排出するドレンポンプと、制御基板を内蔵した前記電装品箱とを熱交換器を挟むように対称的な部位に夫々配設することにより、排出される凝縮水が電装品箱の表面に飛散したり、あるいは同電装品箱の内部に侵入して制御基板等に支障が発生するというような不具合を防止できる一方、メンテナンスあるいは修理点検等の作業を容易に行うことができる空気調和機とすることができる。
【図面の簡単な説明】
【図１】本発明による空気調和機を示す断面図である。
【図２】本発明のよる空気調和機の内部構造を示す斜視図である。
【図３】本発明のよる空気調和機の内部構造を示す要部斜視図である。
【図４】下部パネルを示す要部斜視図である。
【図５】従来の空気調和機を示す要部断面図である。
【符号の説明】
１　下部パネル
１ａ　ドレンパン
１ｂ　サブドレンパン
１ｃ　仕切壁
１ｄ　連通孔
２　上部パネル
３　吸込口
４　吹出口
４ａ　風向偏向板
５　熱交換器
５ａ　垂直部
５ｂ　後方傾斜部
５ｃ　前方傾斜部
６　送風ファン
７　電装品箱
８　表示部
９　ドレンポンプ
９ａ　排出口
１０　ブラケット
１０ａ　第一ブラケット
１０ｂ　第二ブラケット
１０ｃ　防振部材
１１　ノズル
１２　支持金具
１２ａ　配管挿通孔
１３　排出ホース
【図１】
2004116882.tif 000003
【図２】
2004116882.tif 000004
【図３】
2004116882.tif 000005
【図４】
2004116882.tif 000006
【図５】
2004116882.tif 000007